(57)【要約】      （修正有）【課題】ハードディスクが損傷した場合に簡単に交換することが出来る記録再生装置の提供。【解決手段】ハードディスクを備えた記録再生装置のシャーシ４のフロント側には基台に載せたディスク装置２を配置し、ディスク装置２の後方にはハードディスク１を基台に載せて配置し、そしてハードディスク１の後方にはシャーシ４のバックパネル６に取付けたファン７を設け、一方、シャーシ４に起立した仕切り板にてバックパネル６からフロント間を仕切ったレイアウト構造。【選択図】図１
2008146749.tif 000002
【特許請求の範囲】
【請求項１】
ハードディスクを備えた記録再生装置において、シャーシのフロント側には基台に載せたディスク装置を配置し、ディスク装置の後方にはハードディスクを基台に載せて配置し、そしてハードディスクの後方にはシャーシのバックパネルに取付けたファンを設け、一方、シャーシに起立した仕切り板にてバックパネルからフロント間を仕切り、上記仕切り板を境としてハードディスク側とハードディスクの反対側に夫々基板を配置し、ハードディスクの反対側に配置した基板には電源部品の放熱板を取付け、そして上記仕切り板には空気穴を貫通すると共にハードディスクの反対側基板とハードディスク側基板を接続するリード線が通る切欠き凹部を仕切り板の上部に形成し、更に上カバーのハードディスクの反対側の側板には通気穴を形成し、ファンによって上記通気穴から吸い込まれる外気が上記放熱板と上記空気穴を通ってファンから排気するようにエヤーの流れを形成したことを特徴とするハードディスクを備えた記録再生装置。
【請求項２】
上記仕切り板を境としてディスク装置の反対側にはビデオデッキを配置し、該ビデオデッキと放熱板の間には、別な仕切り板を起立して設けた請求項１記載のハードディスクを備えた記録再生装置。
【発明の詳細な説明】
【技術分野】
【０００１】
本発明はハードディスクを備えた記録再生装置を対象とし、このハードディスクが損傷した際に簡単に交換することが出来る構造とした記録再生装置に関するものである。
【背景技術】
【０００２】
ハードディスクを備えたディスク装置、又はハードディスクを備えたビデオデッキが知られている。ディスク装置やビデオデッキによっても再生だけでなく記録することは可能であるが、ハードディスクを備えることで記録される情報量は膨大なものとなる。例えば、テレビの番組を何時間にわたって記録するには、ディスク装置やビデオデッキでは不可能であり、ハードディスクを備えることが必要となる。
【０００３】
特開２００６−９９９０９号に係る「記録再生複合装置」は、ＶＣＲユニットとＤＶＤユニットとＨＤＤユニットの３つの記録再生機能を備えた記録再生複合装置において、従来あるＶＣＲユニットとＤＶＤユニットの２つの記録再生機能を備えた記録再生複合装置の外観寸法とほぼ同じ寸法に抑えた構造としている。そこで、筐体の内部に、ＶＣＲユニットを左側上部前方に配置し、ＤＶＤユニットを右側上部前方に配置し、ＨＤＤユニットを正面に側面部を向けた横向きにして右側下部後方に筐体底面と間を空けて配置し、ＨＤＤユニットの前端がＤＶＤユニットの後端よりも前方に位置し間を開けて部分的に上下に対向させた構造としている。
【０００４】
ところで、上記記録再生複合装置の場合、ハードディスク(ＨＤＤ)が電源基板の下側に配置された構造であり、ハードディスクが損傷して交換しなくてはならない場合に面倒である。すなわち、該ハードディスクだけを取外すことが出来ない。ハードディスクは衝撃に弱くて、記録再生複合装置がテーブルから落下した際に、又転倒した際には内蔵しているハードディスクが損傷するケースが多く、このような事態を考えてハードディスクを簡単に交換できる配置構造が必要となる。
【０００５】
特開２００６−６６０３５号に係る「複合映像記憶再生機器」は、光ディスクドライブユニットとハードディスクドライブユニットとを筐体内の横方向に並設した構成であっても、装置全体がコンパクトでかつ、薄型化が可能なレイアウト構造としている。そこで、筐体内にハードディスクドライブユニットと光ディスクドライブユニットを並設する。ハードディスクドライブユニット上に光ディスクドライブユニットを制御するＭＰＥＧ基板を固定する。一方、ハードディスクドライブユニットの下部に形成される空間部にマイコンなどの比較的高さが低い電子部品を実装する。これにより、筐体の薄型化及び小型化が可能であり、複合映像記録再生機器のコンパクト化が図られる。
【０００６】
この複合映像記憶再生機器に場合も、ハードディスクドライブユニットの上に光ディスクドライブユニットを制御するＭＰＥＧ基板を設けた配置構造である。ハードディスクドライブユニットが損傷して交換が必要となった時には上記のＭＰＥＧ基板を取外さなくてはならない。そして該ＭＰＥＧ基板を取外す際に基板に装着されている電子部品を損傷させる虞もある。
【特許文献１】特開２００６−９９９０９号に係る「記録再生複合装置」
【特許文献２】特開２００６−６６０３５号に係る「複合映像記憶再生機器」
【発明の開示】
【発明が解決しようとする課題】
【０００７】
このように、ハードディスクを備えた記録再生装置には上記のごとき問題がある。本発明が解決しようとする課題はこの問題点であり、ハードディスクの交換を簡単に行うことが出来る記録再生装置を提供する。併せて、装置内部の発熱を抑制するように配置した記録再生装置を提供する。
【課題を解決するための手段】
【０００８】
本発明に係るハードディスクを備えた記録再生装置は、他の部材や装置類を取外すことなくハードディスクのみ取外して交換することが出来るレイアウト構造としている。そこで、シャーシのフロント側には基台に載ったディスク装置が取付けられ、該ディスク装置の後方側(背後)には所定の隙間を残してハードディスクが基台に載って取付けられている。
【０００９】
そして、ハードディスクの後方側(背後)であって、該ハードディスクとの間に隙間を残してファンがバックパネルに取付けられている。一方、シャーシに仕切り板が起立してバックパネルからフロントまで延び、ディスク装置とハードディスクは該仕切り板の一方側に配置されている。仕切り板を境として他方側にはシャーシに基板が取付けられ、該基板には放熱板を一体化して装着した電源部品が設けられ、その上方にアナログチューナー基板を配置したレイアウト構造としている。
【００１０】
上記ファンはバックパネルから装置内部のエヤーを排気するように機能し、電源部品の放熱板からの熱、及びハードディスクから発生する熱を外へ排出するようにエヤーの流れを形成している。そこで、ハードディスクとは反対側の上カバーの側板には通気穴を設け、上記仕切り板には空気穴を貫通しており、通気穴から外気を吸い込んで放熱板と仕切り板の空気穴を通って、上記ファンによって外へ排気される。
【発明の効果】
【００１１】
本発明の記録再生装置はハードディスクを備えているが、該ハードディスクはディスク装置の後方側に配置されて上方には電源基板などの部品類はなく、上カバーを外すならばオープン状態となる。従って、ハードディスクが壊れた時には他の部品や装置類が障害になることなく簡単に交換をすることが出来る。
【００１２】
そして、シャーシのバックパネルとハードディスクの間にはファンが設けられている為に、該ファンが作動することで外気を吸い込んで外へ排気するエヤーの流れが形成され、その為にハードディスクは冷却され、又ハードディスクの隣に仕切り板を介して配置している電源部品の放熱板からの発熱をエヤーの流れで外へ排出することが出来る。
【００１３】
そして、シャーシから起立してバックパネルからフロント側へ延びる仕切り板は、記録再生装置の内部空間を区分することが出来、シャーシの剛性を向上させる効果を備えるのみならず、熱の拡散が防止され、更にはハードディスクとディスク装置側のデジタル回路から飛び出すノイズがアナログ回路に影響しないように遮断することが出来る。一方、本発明では上記ファンがバックパネルの内側(装置内部)に取付けられることで、記録再生装置の奥行き寸法は縮小される。
【実施例】
【００１４】
図１は本発明に係るハードディスクを備えた記録再生装置を示す実施例であり、同図の１はハードディスク、２はディスク装置、３はビデオデッキを夫々表している。従って、同図に示す記録再生装置はディスクに記録さている情報をディスク装置２で再生することが出来、ビデオテープに記録されている情報をビデオデッキ３で再生することが可能である。
【００１５】
そして、この装置は上記ハードディスク１を備えている為に、ディスク装置２でディスクに記録されている情報を再生すると共にハードディスク１に記録することが出来、又ビデオデッキ３でビデオテープに記録されている情報を再生すると共にハードディスク１に記録することが出来る。一方、テレビの番組をハードディスク１に記録することが可能となる。このように、本発明の記録再生装置はハードディスク１を備えている為に、大量の情報を記録し、これを何時でも再生して観ることが出来る。
【００１６】
このように、ディスク装置２とビデオデッキ３の他にハードディスクを備えた記録再生装置は従来存在している公知の事実であるが、本発明はこれらの各装置の配置構造に特徴を有している。上記ハードディスク１は他のディスク装置２やビデオデッキ３に比較して衝撃に弱くて壊れやすく、壊れた場合には交換しなくてはならない。本発明の記録再生装置はハードディスク１の交換が簡単に出来るレイアウト構造と成っている。
【００１７】
ハードディスク１、ディスク装置２、ビデオデッキ３はシャーシ４に取付けられているが、ディスク装置２はフロント左側に配置され、ディスク装置２の背後には所定の隙間を残してハードディスク１がフロント左側に配置されている。しかも、ディスク装置２及びハードディスク１は基台に載ってシャーシ４に取付けられている。
【００１８】
一方のビデオデッキ３はフロント右側に配置され、該ビデオデッキ３の後方には放熱板を備えた電源部品が配置され、該放熱板の上側にはアナログチューナー基板５が配置されている。そして、ハードディスク１の後方であって、シャーシ４のバックパネル６にはファン７が取付けられている。図２は図１の記録再生装置の正面側にフロントパネル８を取付けた場合であり、そして、コ形をした上カバー９が取付けられ、装置の上側と両側を被覆することが出来る。
【００１９】
図３はハードディスク１とその取付け基台１０を示しているが、該基台１０は金属製の板材を曲げ成形したものであり、ベース１２の正面側と左側には下方へ複数の脚１１，１１・・を延ばし、又背側と右側にはガイド１３，１３を上方へ起立している。そして背後に設けたガイド１３から連結片１４，１４を後方へ延ばしている。
【００２０】
ハードディスク１はベース１２に載ってネジ止めされ、ハードディスク１を固定した基台１０は図１に示すようにシャーシ４に配置されて脚１１，１１・・がネジ止めされる。そして、背後へ延びる連結片１４，１４はシャーシ４のバックパネル６にネジ止めされて取付けられる。従って、脚１１，１１・・、及び連結片１４，１４を固定しているネジを弛めるならは、ハードディスク１は基台１０と共にシャーシ４から取外すことが出来る。
【００２１】
図４はディスク装置２とその取付け基台１５を示しているが、該基台１５は金属製の板材を曲げ成形したものであり、ベース１６の右側には脚１７を下方へ延ばし、左側には止着片１８を水平に延ばしている。又、ベース１６の両側にはガイド１９，１９，２０，２０が上方へ起立して延びている。ディスク装置２はベース１６に載って、両ガイド１９，１９，２０，２０にネジ止めされ、ディスク装置２が固定された基台１５は、図１に示すようにシャーシ４に取付けられる。
【００２２】
従って、フロント側にディスク装置２が配置され、その後方に所定の隙間を設けてハードディスク１が配置され、更にハードディスク１とシャーシのバックパネル６との間にはファン７が取付けられている。図５はハードディスク１、ディスク装置２をシャーシ４に取付ける場合を表しているが、該シャーシ４の底には基板２１、２２が取付けられている。
【００２３】
基板２１はディスク装置２を支持する基台１５のベース１６の下側に配置される。又、基板２２はビデオデッキ３の下側に配置され、該基板２２には電源部品から発生する熱を放熱する為の放熱板２６，２６・・が起立している。そして、シャーシ４のほぼ中央には仕切り板２３が垂直に起立し、バックパネル６からフロント側まで延びていて装置の内部空間を仕切っている。仕切り板２３には空気穴２４が貫通し、一部に切欠き凹部２５を形成している。
【００２４】
ここで、上記基板２１には、ハードディスク１とディスク装置２のデジタル映像音声信号処理回路とデジタルテレビ放送を受信するデジタルチューナーが取付けられている。そして、上記基板２２には、電源回路とビデオデッキ３のアナログ映像音声処理回路が設けられ、電源回路には上記放熱板２６と一体化して取付けた電源部品を有すために、ビデオデッキ３にて覆われないようにビデオデッキ３の後方に配置されている。
【００２５】
図６は基板２１，２２を取付ける前のシャーシ４の平面図であり、ディスク装置２を取着した基台１５は基板２１を配置した上側に取付けられる。同図の２７，２７・・は基台１５をネジ止めするためのネジ穴であり、これら各ネジ穴２７，２７・・を利用して図４に示す基台１５の止着片１８、及び脚１７，１７がネジ止めされる。
【００２６】
図７はハードディスク１を載せた基台１０がネジ止めされるネジ穴２８，２８・・、２９，２９を表している。ここで、基台１０の正面側に設けている脚１１，１１はディスク装置２が載る基台１５のベース１６後方に載って、ネジ穴２９，２９にネジ止めされる。そして、その他の脚１１，１１、及び連結片１４，１４はネジ穴２８，２８・・にネジ止めされる。従って、ハードディスク１を載置した基台１０はディスク装置２の基台１５より高い位置に取付けられて、ベース１２の下側には大きな空間を形成することが出来る。
【００２７】
図８は基台１０に載ったハードディスク１が取付けられる場合であり、ディスク装置２の後方に設けている空間に配置される。このように、ディスク装置２及びハードディスク１はシャーシ４に起立した仕切り板２３によって仕切られ、右側に取付けた電源部品の放熱板２６，２６・・と区分され、放熱板２６，２６・・の上側に配置したアナログチューナー基板５、及び基板２２から導かれるリード線は仕切り板２３の上部に形成した切欠き凹部２５を通ってディスク装置２及びハードディスク１側へ導かれ、基板２１と接続している。
【００２８】
又、上記ファン７の作動にて流れるエヤーは仕切り板２３に貫通した空気穴２４を流れて放熱板２６，２６・・を冷却し、このエヤーは上カバー９の側板３０に設けた通気穴３１，３１・・から吸い込まれてファン７にて外へ排気される。又、通気穴３１，３１・・から吸い込まれるエヤーは放熱板２６，２６・・の上方に配置したアナログチューナー基板５に装着されている電子部品の温度上昇を抑えることが出来る。その為に、側板３０の後方(電源回路の位置に対応した箇所)に通気穴３１，３１・・を形成している。上記アナログチューナー基板５にはテレビ放送を受信する為のチューナ、それに本装置と外部装置とを接続する為の映像信号と音声信号の入力端子及び出力端子が取付けられている。
【００２９】
すなわち、上カバー９の側板３０に形成した通気穴３１，３１・・、仕切り板２３の空気穴２４と切欠き部２５は電源回路の位置に対応して設けられ、ハードディスク１を基台１０に載せて浮かせることでエヤーの流れが形成される。
一方、基板２２に取付けている放熱板２６，２６・・とビデオデッキ３(特にドラム)との間にも別な仕切り板３２を起立し、ビデオデッキ側への熱の流れを抑制している。
【図面の簡単な説明】
【００３０】
【図１】本発明に係るハードディスクを備えた記録再生装置の実施例で、フロントパネルと上カバーを外した状態。
【図２】本発明に係るハードディスクを備えた記録再生装置の実施例で、上カバーを分離した状態。
【図３】ハードディスクとそれを載せる基台。
【図４】ディスク装置とそれを載せる基台。
【図５】基台に載置したディスク装置とハードディスクをシャーシに取付ける場合。
【図６】ディスク装置を載置した基台が固定されるネジ穴位置を表したシャーシの平面図。
【図７】ハードディスクを載置した基台が固定されるネジ穴位置を表したシャーシの平面図。
【図８】基台に載ったハードディスクを取付ける状態。
【符号の説明】
【００３１】
１  ハードディスク
２  ディスク装置
３  ビデオデッキ
４  シャーシ
５  電源基板
６  バックパネル
７  ファン
８  フロントパネル
９  上カバー
10  基台
11  脚
12  ベース
13  ガイド
14  連結片
15  基台
16  ベース
17  脚
18  止着片
19  ガイド
20  ガイド
21  基板
22  基板
23  仕切り板
24  空気穴
25  切欠き凹部
26  放熱板
27  ネジ穴
28  ネジ穴
29  ネジ穴
30  側板
31  通気穴
32  仕切り板
【図１】
2008146749.tif 000003
【図２】
2008146749.tif 000004
【図３】
2008146749.tif 000005
【図４】
2008146749.tif 000006
【図５】
2008146749.tif 000007
【図６】
2008146749.tif 000008
【図７】
2008146749.tif 000009
【図８】
2008146749.tif 000010